(57)【要約】【課題】  取付け個所より高い位置にラベルを保持することができるラベル用スタンドを提供すること。【解決手段】  係止用孔３１が形成された可撓性あるラベル３０を係止するラベル用スタンド２０にて、支柱２１と、支柱２１の頂部２２ａに形成されたフック２４と、支柱２１のフック２４の先端に対向する部分に孔２５が形成され、フック２４の先端と支柱２１との間隔がラベル３０の厚さよりも狭く形成され、係止用孔３１がフック２４に係止可能であること。さらに、フック２４に係止したラベル３０の裏面に接する凸部（２６ａ、２６ｂ等）が支柱２１に形成され、凸部（２６ａ、２６ｂ等）がフック２４の先端をフック２４に係止したラベル３０の係止用孔３１から突出させること。【選択図】        図２
2006189618.tif 000002
【特許請求の範囲】
【請求項１】
係止用孔が形成された可撓性あるラベルを係止するラベル用スタンドであって、
支柱と、
この支柱の頂部に形成されたフックと、
前記支柱の前記フックの先端に対向する部分に孔または凹部が形成され、
前記フックの先端と前記支柱との間隔が前記係止用孔が形成された可撓性あるラベルの厚さよりも狭く形成され、
前記可撓性あるラベルの係止用孔が前記フックに係止可能であることを特徴とするラベル用スタンド。
【請求項２】
請求項１に記載したラベル用スタンドであって、
前記フックに係止した前記可撓性あるラベルの裏面に接する凸部が前記支柱に形成され、この凸部が前記フックの先端を前記フックに係止した前記可撓性あるラベルの係止用孔から突出させるものであることを特徴とするラベル用スタンド。
【請求項３】
請求項２に記載したラベル用スタンドであって、
前記凸部が前記フックの先端に対向する支柱の位置の上側と下側に形成され、上側の凸部と下側の凸部とを連結し前記支柱側に湾曲した湾曲部が形成されていることを特徴とするラベル用スタンド。
【請求項４】
請求項１から３までのいずれかに記載したラベル用スタンドであって、
前記支柱の基部に取付部が形成され、
前記取付部に差込片が形成されていることを特徴とするラベル用スタンド。
【請求項５】
請求項４に記載したラベル用スタンドであって、
前記取付部に可撓性ある爪が形成され、この可撓性ある爪が前記取付部の差込片の側部に対向していることを特徴とするラベル用スタンド。
【発明の詳細な説明】
【技術分野】
【０００１】
本発明は、苗の育成容器等に使用するラベル用スタンドに関し、特に、簡単な構造で容易にラベルを着脱できる技術に関するものである。
【背景技術】
【０００２】
苗の育成容器において、容器本体の側壁部の上端部に設けられた鍔部に孔が形成され、この孔に前記苗に関する情報の表示用のラベルの下部が差し込まれているものがある。この場合、ラベルは、その下部の両側に上方に開口する切欠が設けられているので、前記孔からラベルの下部を引き抜く場合に、前記切欠が前記孔の縁に引っ掛かるため、前記孔からラベルが抜け落ちにくくなっている（例えば特許文献１）。
【特許文献１】実開平７−７３７２号公報
【発明の開示】
【発明が解決しようとする課題】
【０００３】
しかし、上述の従来例では、表示用のラベルの下部が直接容器本体の側壁部の上端部に設けられた鍔部の孔に差し込まれているので、ラベルの高さに限度がある。このため、容器本体内に丈の高い苗等を植えた場合に、ラベルが苗等の影に隠れてしまって、ラベルを視認することが困難になるという問題があった。
そこで、本発明が解決しようとする課題は、容器本体等の取付け個所より高い位置にラベルを保持することができるラベル用スタンドを提供することである。
【課題を解決するための手段】
【０００４】
上記課題を解決するため、請求項１記載の発明は、係止用孔が形成された可撓性あるラベルを係止するラベル用スタンドであって、支柱と、この支柱の頂部に形成されたフックと、前記支柱の前記フックの先端に対向する部分に孔または凹部が形成され、前記フックの先端と前記支柱との間隔が前記係止用孔が形成された可撓性あるラベルの厚さよりも狭く形成され、前記可撓性あるラベルの係止用孔が前記フックに係止可能であることを特徴とするラベル用スタンドである。
これにより、ラベル用スタンドの支柱の頂部に形成されたフックの先端に対向する支柱部分に孔または凹部が形成され、前記フックの先端と前記支柱との間隔（前記孔または凹部がないとした場合のフックの先端に対向する支柱の位置とフックの先端との間隔）が前記フックに係止可能な係止用孔が形成された可撓性あるラベルの厚さよりも狭く形成されているので、外力により撓んだ前記ラベルが前記フックの先端と前記孔または凹部との間を通過して前記ラベルの係止用孔がフックに係止される。そして、前記係止されたラベルが前記ラベルに加えられる外力のない状態でフックの先端と支柱との間を通過してフックから外れることがないが、前記係止したラベルに外力を加えると前記ラベルの可撓性により前記係止したラベルをフックから外すことができる。
【０００５】
さらに、請求項２記載の発明は、請求項１に記載したラベル用スタンドであって、前記フックに係止した前記可撓性あるラベルの裏面に接する凸部が前記支柱に形成され、この凸部が前記フックの先端を前記フックに係止した前記可撓性あるラベルの係止用孔から突出させるものであることを特徴とするラベル用スタンドである。
これにより、前記フックに係止した前記可撓性あるラベルの裏面に接する支柱の凸部が前記フックの先端を前記フックに係止した前記可撓性あるラベルの係止用孔から突出させるので、フックにより前記ラベルを一層確実に係止することができる。
【０００６】
さらに、請求項３記載の発明は、請求項２に記載したラベル用スタンドであって、前記凸部が前記フックの先端に対向する支柱の位置の上側（支柱の頂部側）と下側（支柱の基部側）に形成され、上側の凸部と下側の凸部とを連結し前記支柱側に湾曲した湾曲部が形成されていることを特徴とするラベル用スタンドである。
これにより、支柱の上側の凸部と下側の凸部とを連結し支柱側に湾曲した湾曲部に沿って湾曲したラベルをフックの先端と前記支柱の孔または凹部との間を通過させてフックに係止することが容易になる。
【０００７】
さらに、請求項４記載の発明は、請求項１から３までのいずれかに記載したラベル用スタンドであって、前記支柱の基部に取付部が形成され、前記取付部に差込片が形成されていることを特徴とするラベル用スタンドである。
これにより、前記支柱の基部に形成された取付部の差込片を容器の側壁部等の取付け個所の孔等に差し込むことにより、容易にラベル用スタンドの取付部を取付け個所に取り付けることができる。
【０００８】
さらに、請求項５記載の発明は、請求項４に記載したラベル用スタンドであって、前記取付部に可撓性ある爪が形成され、この可撓性ある爪が前記取付部の差込片の側部に対向していることを特徴とするラベル用スタンドである。
これにより、前記取付部に可撓性ある爪が形成され、この可撓性ある爪が前記取付部の差込片の側部に対向しているので、取付け個所に前記爪が係止する部分が形成されている場合には、一層確実にラベル用スタンドの取付部を取付け個所に取り付けることができる。
【発明の効果】
【０００９】
請求項１記載の発明に係わるラベル用スタンドによれば、係止用孔が形成された可撓性あるラベルをラベル用スタンドの取付け個所より高い位置に保持することができる。
さらに、請求項２記載の発明によれば、請求項１記載の発明の効果とともに、ラベル用スタンドにより前記ラベルを一層確実に係止することができる。
さらに、請求項３記載の発明によれば、請求項２記載の発明の効果ともに、前記ラベルをラベル用スタンドのフックに係止することが容易になる。
さらに、請求項４記載の発明によれば、請求項１から３までのいずれかに記載した発明の効果とともに、ラベル用スタンドの取付部を取付け個所に取付けることができる。
さらに、請求項５記載の発明によれば、請求項４記載の発明の効果とともに、ラベル用スタンドの取付部を一層確実に取付け個所に取付けることができる。
【発明を実施するための最良の形態】
【００１０】
以下、本発明における実施の形態を図面に基づいて説明する。図１は本発明の実施の形態に係るラベル用スタンドの正面を示し、図２は図１のラベル用スタンドの使用状態の正面を示し、図３は図２の右側面を示し、図４は図３のラベル用スタンドのフックの近傍を拡大して示す。
【００１１】
図２に示すように、ラベル用スタンド２０の支柱２１の基部２２ｂに形成された取付部２３は容器１０の側壁部１２に着脱自在に取付け可能である。そして、ラベル用スタンド２０の支柱２１の頂部２２ａに形成されたフック２４に可撓性あるラベル３０の係止用孔３１が係止可能である。なお、図２に示すラベル３０の表面３２には容器１０に収容される苗、切花等の種類、生産者、産地等が表示される。
【００１２】
図２および図３に示すように、ラベル用スタンド２０の取付け個所の一例となる容器１０は、上面が開口部１１となっているものであり、側壁部１２の上端部が開口部１１の縁となっている。側壁部１２には複数の台形状の凹部１２ａが形成され、凹部１２ａの上面の孔１２ｂおよび凹部１２ａの側面の一対の孔１２ｃ、１２ｄ（図２参照）が形成されている。
【００１３】
図２に示す係止用孔３１が形成された可撓性あるラベル３０を係止するラベル用スタンド２０には、図１に示すように、板状の支柱２１と、この支柱２１の頂部２２ａに形成されたフック２４（フック２４の基部２４ａが頂部２２ａと一体に形成されている。）と、支柱２１のフック２４の先端２４ｂに対向する部分に長方形の孔２５が形成されている。そして、図４に示すように、フック２４の先端２４ｂと支柱２１との間隔（孔２５がない場合の間隔）がラベル３０の厚さ３４よりも狭く形成され、ラベル３０の係止用孔３１がフック２４に係止可能である。
なお、図１に示すように、支柱２１の図示右端にはリブ２１ａが形成され、支柱２１の図示左端にはリブ２１ｂが形成されている。さらに、図３に示すように、支柱２１の裏面（フック２４が形成されている面と反対側の面）にはリブ２１ｃが形成されている。
【００１４】
図４に示すように、フック２４に係止したラベル３０の裏面３３に接する凸部２６ａ、２６ｂ、２７ａ、２７ｂ（図１参照）が支柱２１に形成され、凸部２６ａ、２６ｂ、２７ａ、２７ｂがフック２４の先端２４ｂをフック２４に係止したラベル３０の係止用孔３１から突出させる。
図１のフック２４の図示右側において、上側の凸部２６ａと下側の凸部２７ａとを連結し支柱２１側に湾曲した湾曲部２８ａ（図４参照）が形成され、フック２４の図示左側において、上側の凸部２６ｂと下側の凸部２７ｂとを連結し支柱２１側に湾曲した湾曲部２８ｂが形成されている。なお、凸部２６ａと凸部２６ｂは同じ形状であり、凸部２７ａと凸部２７ｂは同じ形状であり、湾曲部２８ａと湾曲部２８ｂは同じ形状である。また、凸部２７ａはリブ２１ａの上端に形成されており、凸部２７ｂはリブ２１ｂの上端に形成されている。
【００１５】
図１に示すように、支柱２１の基部２２ｂに取付部２３が形成され、取付部２３に先端が尖った差込片２３ａが形成されている。さらに、取付部２３に可撓性ある一対の爪２３ｂ、２３ｃが形成され、この可撓性ある一対の爪２３ｂ、２３ｃが差込片２３ａの側部に対向している。
【００１６】
以上の構成のラベル用スタンド２０は、以下の動作をする。
（１）ラベル用スタンド２０の支柱２１の頂部２２ａに形成されたフック２４の先端２４ｂに対向する支柱２１の部分に孔２５が形成され、フック２４の先端２４ｂと支柱２１との間隔がフック２４に係止可能な係止用孔３１が形成された可撓性あるラベル３０の厚さ３４よりも狭く形成されているので、外力により撓んだラベル３０がフック２４の先端２４ｂと孔２５との間を通過してラベル３０の係止用孔３１がフック２４に係止される。そして、前記係止されたラベル３０がラベル３０に加えられる外力のない状態でフック２４の先端２４ｂと支柱２１との間を通過してフック２４から外れることがないが、係止したラベル３０に外力を加えるとラベル３０の可撓性により前記係止したラベル３０をフック２４から外すことができる。
（２）フック２４に係止した可撓性あるラベル３０の裏面３３に接する支柱２１の凸部２６ａ、２６ｂ、２７ａ、２７ｂがフック２４の先端２４ｂをフック２４に係止した可撓性あるラベル３０の係止用孔３１から突出させるので、フック２４によりラベル３０を一層確実に係止することができる。
（３）支柱２１の上側の凸部２６ａ、２６ｂと下側の凸部２７ａ、２７ｂとを連結し支柱２１側に湾曲した湾曲部２８ａ、２８ｂに沿って撓んだラベル３０をフック２４の先端２４ｂと支柱２１の孔２５との間を通過させてフック２４に係止することが容易になる。
（４）支柱２１の基部２２ｂに形成された取付部２３の差込片２３ａを容器１０の側壁部１２の孔１２ｂに差し込むことにより、容易にラベル用スタンド２０の取付部２３を側壁部１２に取り付けることができる。
（５）取付部２３に可撓性ある爪２３ｂ、２３ｃが形成され、この可撓性ある爪２３ｂ、２３ｃが取付部２３の差込片２３ａの側部に対向しているので、図１に示すように、爪２３ｂを孔１２ｃに差し込み、爪２３ｃを孔１２ｄに差し込むことにより、一層確実にラベル用スタンド２０の取付部２３を容器１０の側壁部１２に取り付けることができる。
【００１７】
なお、上記実施の形態において、支柱２１の孔２５が形成されているが、これに限定されず、孔２５の位置に孔２５の代わりに凹部（フック２４の側から見て凹部となっているもの）が支柱２１に形成され、撓んだ状態のラベル３０がフック２４の先端２４ｂと前記凹部との間を通過できるようにしてもよい。
また、図４ではフック２４の先端２４ｂと支柱２１との間隔は、ほぼない状態になっているが、これに限定されず、フック２４の先端２４ｂは若干孔２５または前記孔２５の代わりの凹部内に入り込んでもよい。
また、ラベル用スタンド２０の取付部２３の取付け個所が容器１０の側壁部１２になっているが、これに限定されず、取付部２３の差込片２３ａを容器１０内の育苗用土に差し込んでもよい。さらに、取付部２３を容器１０以外の取付け個所に取付けてもよい。
【図面の簡単な説明】
【００１８】
【図１】本発明の実施の形態に係るラベル用スタンドの正面図である。
【図２】図１のラベル用スタンドの使用状態の正面図である。
【図３】図２の右側面図である。
【図４】図３のラベル用スタンドのフックの近傍を拡大して示す部分図である。
【符号の説明】
【００１９】
２０  スタンド
２１  支柱
２２ａ  頂部
２２ｂ  基部
２３  取付部
２３ａ  差込片
２３ｂ、２３ｃ  爪
２４  フック
２４ｂ  先端
２５  孔
２６ａ、２６ｂ、２７ａ、２７ｂ  凸部
２８ａ、２８ｂ  湾曲部
３０  ラベル
３１  係止用孔
３２  裏面
３４  厚さ
【図１】
2006189618.tif 000003
【図２】
2006189618.tif 000004
【図３】
2006189618.tif 000005
【図４】
2006189618.tif 000006